(57)【要約】【課題】  本発明は外部ストレスによる信号端子のクラック不良を防止できる信号伝送フィルム及びこれを含む表示装置を提供する。【解決手段】  本発明に係る表示装置は画像を表示する表示パネルと、表示パネルの一側面に離隔して配置された印刷回路基板と、表示パネルと印刷回路基板との間に取付けられた多数の信号伝送フィルムとを備え、多数の信号伝送フィルムのうち少なくともいずれか一つは、印刷回路基板と接する入力パッドが形成された入力部と、表示パネルと接する出力パッドが形成された出力部と、入力部と出力部との間に介在され、入力部及び出力部のうち少なくとも一つの幅より狭く形成されたチャネル部を含む。【選択図】図１
2007213064.tif 000002
【特許請求の範囲】
【請求項１】
画像を表示する表示パネルと、
前記表示パネルの一側面に離隔して配置された印刷回路基板と、
前記表示パネルと印刷回路基板との間に取付けられた多数の信号伝送フィルムとを備え、
前記多数の信号伝送フィルムのうち少なくともいずれか一つは、
前記印刷回路基板と接する入力パッドが形成された入力部と、
前記表示パネルと接する出力パッドが形成された出力部と、
前記入力部と出力部との間に介在され、前記入力部及び出力部のうち少なくとも一つの幅より狭く形成されたチャネル部とを含むことを特徴とする表示装置。
【請求項２】
前記入力部、出力部及びチャネル部のうち少なくとも一つに形成された変曲点はラウンド状に形成されることを特徴とする請求項１に記載の表示装置。
【請求項３】
前記信号伝送フィルムはテープキャリアパッケージ、フレキシブル印刷回路及びチップオンフィルムのうち少なくともいずれか一つであることを特徴とする請求項１に記載の表示装置。
【請求項４】
前記信号伝送フィルムはテープキャリアパッケージ、フレキシブル印刷回路及びチップオンフィルムのうち少なくともいずれか一つであることを特徴とする請求項２に記載の表示装置。
【請求項５】
前記信号伝送フィルムはその付着位置が前記表示パネルの中央部から前記表示パネルの外縁部に行くほどチャネル部の幅が次第に狭くなることを特徴とする請求項１に記載の表示装置。
【請求項６】
前記表示パネルの外縁部に取付けられた信号伝送フィルムのチャネル部の幅は他の領域に取付けられた信号伝送フィルムのチャネル部の幅より狭いことを特徴とする請求項１に記載の表示装置。
【請求項７】
ベースフィルムと、
前記ベースフィルム上に形成された入出力ラインと、
前記ベースフィルム上に形成され前記入出力ラインそれぞれと接続された入出力パッドと、
前記入出力ラインを覆うように前記ベースフィルム上に形成された保護膜を備え、
前記ベースフィルムは前記入出力ラインが形成された領域が前記入出力パッドが形成された領域より幅狭であることを特徴とする信号伝送フィルム。
【請求項８】
前記ベースフィルム及び前記保護膜のうち少なくともいずれか一つの変曲点はラウンド状に形成されることを特徴とする請求項７に記載の信号伝送フィルム。
【請求項９】
前記入力パッド間の間隔は前記入力ライン間の間隔より広く、前記出力パッド間の間隔は前記出力ライン間の間隔より広いことを特徴とする請求項７に記載の信号伝送フィルム。
【請求項１０】
前記入力パッド間の間隔は前記入力ライン間の間隔より広く、前記出力パッド間の間隔は前記出力ライン間の間隔より広いことを特徴とする請求項８に記載の信号伝送フィルム。
【請求項１１】
入力パッドが形成された入力部と、
出力パッドが形成された出力部と、
前記入力部と出力部との間に介在され、前記入力部及び出力部のうち少なくとも一つの幅より狭く形成されたチャネル部とを含むことを特徴とする信号伝送フィルム。
【請求項１２】
前記入力部、出力部及びチャネル部のうち少なくとも一つに形成された変曲点はラウンド状に形成されることを特徴とする請求項１１に記載の信号伝送フィルム。
【発明の詳細な説明】
【技術分野】
【０００１】
本発明は信号伝送フィルム及びこれを含む表示装置に関し、特に外部ストレスによる信号端子のクラック不良を防止できる信号伝送フィルム及びこれを含む表示装置に関する。
【背景技術】
【０００２】
液晶表示装置は電界を利用して誘電異方性を有する液晶の光透過率を調節することにより画像を表示する。そのため、液晶表示装置は液晶セルがマトリックス状に配列された液晶表示パネルと、液晶表示パネルを駆動するための駆動回路とを備える。  
【０００３】
駆動回路は液晶表示パネルのゲートラインを駆動するためのゲート駆動集積回路と、データラインを駆動するためのデータ駆動集積回路と、駆動集積回路及びデータ駆動集積回路の駆動タイミングを制御するためのタイミング制御部と、前記液晶表示パネルと前記駆動回路の駆動に必要な電源信号を供給する電源部を備える。 
【０００４】
ここで、データ駆動集積回路及びゲート駆動集積回路のそれぞれはテープキャリアパッケージ上に実装される。このような集積回路が実装されたテープキャリアパッケージはタイミング制御部及び電源部が実装された印刷回路基板と液晶表示パネルとの間に熱圧着工程（ｔｈｅｒｍｃｏｍｐｒｅｓｓｉｏｎ）を通じて付着される。この熱圧着工程時に発生する高熱によりテープキャリアパッケージの熱変形が発生する。これにより、外部ストレスに対してテープキャリアパッケージ上に実装された信号端子にはクラックが発生しやすくなる。  
【発明の開示】
【発明が解決しようとする課題】
【０００５】
本発明は前述した従来の問題点を解決するために案出されたもので、その目的は外部ストレスによる信号端子のクラック不良を防止できる信号伝送フィルム及びこれを含む表示装置を提供することにある。
【課題を解決するための手段】
【０００６】
前記技術的課題を達成するために本発明に係る表示装置は、画像を表示する表示パネルと、表示パネルの一側面に離隔して配置された印刷回路基板と、表示パネルと印刷回路基板との間に取付けられた多数の信号伝送フィルムとを備え、多数の信号伝送フィルムのうち少なくともいずれか一つは印刷回路基板と接する入力パッドが形成された入力部と、表示パネルと接する出力パッドが形成された出力部と、入力部と出力部との間に介在され、入力部及び出力部のうち少なくとも一つの幅より狭く形成されたチャネル部を含むことを特徴とする。
【０００７】
ここで、入力部、出力部及びチャネル部のうち少なくとも一つに形成された変曲点（ｉｎｆｌｅｃｔｉｏｎ  ｐｏｉｎｔ）はラウンド状に形成されることを特徴とする。
【０００８】
一方、信号伝送フィルムはテープキャリアパッケージ、フレキシブル印刷回路及びチップオンフィルムのうち少なくともいずれか一つであることを特徴とする。
【０００９】
また、信号伝送フィルムはその付着が表示パネルの中央部から表示パネルの外縁部（ｏｕｔｅｒ  ｓｉｄｅ）にいくほどチャネル部の幅において次第に狭くなることを特徴とする。
【００１０】
または表示パネルの外縁部に取付けられた信号伝送フィルムのチャネル部の幅は他の領域に取付けられた信号伝送フィルムのチャネル部の幅より狭いことを特徴とする。
【００１１】
技術的課題を達成するために本発明に係る信号伝送フィルムは、ベースフィルムと、ベースフィルム上に形成された入出力ラインと、ベースフィルム上に形成され入出力ラインのそれぞれと接続された入出力パッドと、入出力ラインを覆うようにベースフィルム上に形成された保護膜とを備え、ベースフィルムは入出力ラインが形成された領域が入出力パッドが形成された領域より幅狭であることを特徴とする。
【００１２】
ここで、ベースフィルム及び保護膜のうち少なくともいずれか一つの変曲点はラウンド状に形成されることを特徴とする。
【００１３】
そして、入力パッド間の間隔は入力ライン間の間隔より広く、出力パッド間の間隔は出力ライン間の間隔より広いことを特徴とする。
【００１４】
技術的課題を達成するために本発明に係る信号伝送フィルムは、入力パッドが形成された入力部と、出力パッドが形成された出力部と、入力部と出力部との間に介在され、入力部及び出力部のうち少なくともいずれか一つの幅より狭く形成されたチャネル部を含むことを特徴とする。
【００１５】
ここで、入力部、出力部及びチャネル部のうち少なくとも一つに形成された変曲点はラウンド状に形成されることを特徴とする。
【発明の効果】
【００１６】
前述したように、本発明に係るテープキャリアパッケージ及びこれを含む表示装置はチャネル部の幅が入出力部の線幅より狭いためストレスの移動経路が延びる。これにより、本発明に係るテープキャリアパッケージ及びこれを含む表示装置は外部から従来と同じストレスを受けてもそのストレスが入出力ライン及び入出力パッドに与える影響が小さくなるため、これらのクラック現象が防止される。
【００１７】
また、本発明に係るテープキャリアパッケージ及びこれを含む表示装置はチャネル部の変曲点と、入出力部それぞれとチャネル部間の変曲点でストレスが多方向に分散される。多方向に分散されたストレスはテープキャリアパッケージに与える影響が従来より小さくなって、テープキャリアパッケージ上に形成された入出力ライン及び入出力パッドのクラック現象が防止される。
【発明を実施するための最良の形態】
【００１８】
以下、添付した図面に基づき本発明の実施形態を詳述する。
図１及び図２は本発明に係るテープキャリアパッケージを示す前面及び背面斜視図である。図３及び図４は図２において線"II-II"、"II'-II'"に沿って切り取ったテープキャリアパッケージの断面図である。図５は本発明に係るテープキャリアパッケージの外部ストレスに対する影響を説明するための平面図である。図６は変曲点がラウンド状に形成された本発明に係るテープキャリアパッケージを示す平面図である。
【００１９】
図１及び図２を参照すれば、本発明に係るテープキャリアパッケージはベースフィルム１１２と、ベースフィルム１１２上に形成された入出力パッド１１６、１１８と、入出力パッド１１６、１１８を露出させるように形成された保護膜１１４とを備える。
【００２０】
ベースフィルム１１２は入出力部１１０Ａ、１１０Ｃと、入出力部１１０Ａ、１１０Ｃの間に形成されたチャネル部１１０Ｂで相異なる幅を有するように形成される。入力部１１０Ａのベースフィルム１１２上にはチャネル部１１０Ｂ上に実装される集積回路１２０に入力信号を供給するための入力パッド１１６が形成される。出力部１１０Ｃのベースフィルム１１２上にはチャネル部１１０Ｂ上に実装された集積回路１２０からの出力信号を出力するための出力パッド１１８が形成される。
【００２１】
入力部１１０Ａ及び出力部１１０Ｃにおけるそれぞれのベースフィルム１１２の線幅(Ｗ２)は図３及び図４に示すようにチャネル部１１０Ｂにおけるベースフィルム１１２の線幅(Ｗ１)より広く形成される。チャネル部１１０Ｂにおけるベースフィルム１１２上には入力信号を用いて出力信号を生成する集積回路１２０が実装される。
【００２２】
また、チャネル部１１０Ｂにおけるベースフィルム１１２上には入力パッド１１６と接続されて集積回路１２０の入力端子に入力信号を供給する多数の入力ライン１２６と、集積回路１２０の出力端子と接続されて集積回路１２０からの出力信号を出力パッド１１８に供給する多数の出力ライン１２４が形成される。 
【００２３】
チャネル部１１０Ｂにおけるベースフィルム１１２の線幅(Ｗ１)は、図３及び図４に示すように入出力部１１０Ａ、１１０Ｃにおけるベースフィルム１１２の線幅(Ｗ２)より狭く形成される。特に、チャネル部１１０Ｂにおけるベースフィルム１１２の幅は、入出力部１１０Ａ、１１０Ｃにおけるベースフィルム１１２のそれぞれと隣接した領域から集積回路１２０が実装された領域に行くほど次第に小さくなり、集積回路１２０が実装された領域の幅は最小幅を保つ。
【００２４】
入出力部１１０Ａ、１１０Ｃよりチャネル部１１０Ｂの幅が狭いため、チャネル部１１０Ｂのベースフィルム１１２上に形成される入出力ライン１２６、１２４間の間隔は、入出力部１１０Ａ、１１０Ｃのベースフィルム１１２上に形成された入出力パッド１１６、１１８間の間隔より狭い。 
【００２５】
このようにチャネル部１１０Ｂにおけるベースフィルム１１２の幅が入出力部１１０Ａ、１１０Ｃにおけるベースフィルム１１２の線幅より狭い。これにより、ストレスの移動経路が、図５に示すテープキャリアパッケージ１１０の側面の長さ(Ｌ)に比例して延びる。ストレスの移動経路が延びて、テープキャリアパッケージ１１０は外部から印加されるストレスが入出力ライン１２６、１２４及び入出力パッド１１６、１１８に与える影響が相対的に小さくなるため、これらのクラック現象が防止される。
【００２６】
図２及び図６を参照すれば、外部から印加されるストレスは、チャネル部１１０Ｃの変曲点(Ｐ)、および、入出力部１１０Ａ、１１０Ｃのそれぞれとチャネル部１１０Ｂとの間の変曲点(Ｐ)で、多方向に分散される。多方向に分散されたストレスはテープキャリアパッケージ１１０に与える影響が従来より小さくなるため、テープキャリアパッケージ１１０上に形成された入出力ライン１２６、１２４及び入出力パッド１１６、１１８のクラック現象が防止される。
【００２７】
入力パッド１１６は異方性導電フィルム(Anisotropic  Conductive  Film:ＡＣＦ)を経て図５に示す入力信号供給部１３２、例えば印刷回路基板と接続される。入力パッド１１６は集積回路１２０の入力端子と接続された入力ライン１２６から延びて形成される。入力パッド１１６及び入力ライン１２６は導電性に優れる金属で形成される。例えば、入力パッド１１６及び入力ライン１２６は導電性に優れる銅(Ｃｕ)と、銅(Ｃｕ)の酸化防止のために銅(Ｃｕ)上に形成されたスズ(Ｓｎ)で形成されてもよい。
【００２８】
出力パッド１１８は異方性導電フィルム(ＡＣＦ)を経て図７に示した出力信号供給部１３４、例えば液晶表示パネルの信号パッドに接続される。出力パッド１１８は集積回路１２０の入力端子に接続された入力ライン(図示せず)から延びて形成される。出力パッド１１８及び出力ライン１２４は導電性に優れた金属で形成される。例えば、出力パッド１１８及び出力ライン１２４は導電性に優れる銅(Ｃｕ)と、銅(Ｃｕ)の酸化防止のために銅(Ｃｕ)上に形成されたスズ(Ｓｎ)で形成してもよい。
【００２９】
保護膜１１４は入出力パッド１１６、１１８を露出させ入出力ライン１１６、１１８を保護するようにチャネル部１１０Ｂのベースフィルム１１２上にチャネル部１１０Ｂと同様のパターンで形成される。保護膜１１４はソルダーレジストなどで形成してもよい。
【００３０】
一方、本発明に係るテープキャリアパッケージ１１０の入出力部１１０Ａ、１１０Ｃ及びチャネル部１１０Ｂに形成された変曲点(Ｐ)は、図６に示すようにラウンド状に形成してもよい。この場合、外部ストレスによるテープキャリアパッケージ１１０の破裂現象を防止することができる。
【００３１】
図７は本発明に係るテープキャリアパッケージを含む液晶表示装置の第１の実施形態を示したブロック図である。図８及び図９は図７に示したデータ印刷回路基板と薄膜トランジスタ基板との間に付着されたテープキャリアパッケージの多様な実施形態を説明するための図である。
【００３２】
図７を参照すれば、液晶表示装置は液晶表示パネル１６０と、タイミング制御部及び電源部などが実装されたデータ印刷回路基板１３４と、液晶表示パネル１６０とデータ印刷回路基板１３４との間に取付けられたテープキャリアパッケージ１１０とを備える。
【００３３】
液晶表示パネル１６０は、薄膜トランジスタ基板１６２と、カラーフィルタ基板１６４が液晶を挟んで接合されて形成される。液晶表示パネル１６０はゲートライン(ＧＬ)とデータライン(ＤＬ)の交差によって規定される領域毎に薄膜トランジスタ(ＴＦＴ)により独立して駆動される液晶セル(Ｃｌｃ)が設けられる。
【００３４】
ここで、液晶表示パネル１６０の薄膜トランジスタ基板１６２上には薄膜トランジスタ(ＴＦＴ)と同一工程で形成される駆動トランジスタよりなるゲート駆動回路(図示せず)が形成される。ゲート駆動回路はゲートハイ電圧(ＶＧＨ)のスキャン信号をゲートライン(ＧＬ)に順次に供給する。また、ゲート駆動回路はゲートハイ電圧(ＶＧＨ)が供給される期間を除いた残りの期間にはゲートロー電圧(ＶＧＬ)をゲートライン（ＧＬ）に供給する。
【００３５】
データ印刷回路基板１３４上には示されていないタイミング制御部及び電源部が実装される。タイミング制御部及び電源部からの制御信号、電源信号及び画素データなどはテープキャリアパッケージ１１０上に実装された集積回路１２０に供給される。
【００３６】
テープキャリアパッケージ１１０は液晶表示パネル１６０の薄膜トランジスタ基板１６２とデータ印刷回路基板１３４との間に取付けられる。テープキャリアパッケージ１１０上には集積回路１２０が実装される。集積回路１２０は画素データをアナログ画素信号に変換してデータライン(ＤＬ)に供給する。
【００３７】
テープキャリアパッケージ１１０は前述したように入出力部１１０Ａ、１１０Ｃの幅よりチャネル部１１０Ｂの幅が狭く形成されて外部ストレスによる入出力ライン１２６、１２４及び入出力パッド１１６、１１８のクラック現象を防止することができる。特に、最も外部ストレスの影響を受ける、薄膜トランジスタ基板１６２（あるいは、データ印刷回路基板１３４）の最外縁に位置するテープキャリアパッケージ１１０は、図８及び図９に示したように、他のテープキャリアパッケージ１１０よりチャネル部１１０Ｂの幅を狭く形成してストレスによる不良を緩和させてもよい。例えば、テープキャリアパッケージ１１０は図８に示すように薄膜トランジスタ基板１６２(印刷回路基板１３４)の中心部から外縁部に行くほどチャネル部１１０Ｂの幅が狭くなるように形成する。
【００３８】
または、図９に示すように、薄膜トランジスタ基板１６２（あるいは印刷回路基板１３４）の外縁部に付着されるテープキャリアパッケージ１１０を除いた残りテープキャリアパッケージ１１０のチャネル部１１０Ｂの幅を等しく形成してもよい。
【００３９】
前述したように、本発明は液晶表示装置について記載しているがこれに限らず、例えばプラズマディスプレイパネル(ＰＤＰ)、電界放出素子にも適用可能である。また、本発明はテープキャリアパッケージについて記載しているが、これに限らず、例えばチップオンフィルム(Chip On Film:ＣＯＦ)、フレキシブル印刷回路(Flexible  Printed Circuit:ＦＰＣ)にも適用可能である。
【００４０】
以上説明した内容を通じて当業者であれば本発明の技術思想を逸脱しない範囲で多様な変更及び修正が可能であろう。従って、本発明の技術的範囲は明細書の詳細な説明に記載された内容に限られず、特許請求の範囲により限定されるべきである。
【図面の簡単な説明】
【００４１】
【図１】本発明に係るテープキャリアパッケージを示す前面斜視図である。
【図２】本発明に係るテープキャリアパッケージを示す背面斜視図である。
【図３】図２における線"II-II"に沿って切り取ったテープキャリアパッケージを示す断面図である。
【図４】図２における線"II'-II'"に沿って切り取ったテープキャリアパッケージを示す断面図である。
【図５】本発明に係るテープキャリアパッケージの外部ストレスに対する影響を説明するための平面図である。
【図６】変曲点がラウンド状に形成された本発明に係るテープキャリアパッケージを示す平面図である。
【図７】本発明に係るテープキャリアパッケージを含む液晶表示装置を示すブロック図である。
【図８】図６に示すデータ印刷回路基板と薄膜トランジスタ基板との間に取付けられたテープキャリアパッケージの多様な実施形態を説明するための図である。
【図９】図６に示すデータ印刷回路基板と薄膜トランジスタ基板との間に取付けられたテープキャリアパッケージの多様な実施形態を説明するための図である。
【符号の説明】
【００４２】
１１０Ａ    入力部  
１１０Ｂ    出力部
１１０Ｃ    出力部
１１２      ベースフィルム
１１４      保護膜
１１８      入出力パッド
１２０      集積回路
【図１】
2007213064.tif 000003
【図２】
2007213064.tif 000004
【図３】
2007213064.tif 000005
【図４】
2007213064.tif 000006
【図５】
2007213064.tif 000007
【図６】
2007213064.tif 000008
【図７】
2007213064.tif 000009
【図８】
2007213064.tif 000010
【図９】
2007213064.tif 000011